(57)【特許請求の範囲】
【請求項１】
エスカレーターを、中間に踊り場を有する階段通路に並設した中間踊り場付き階段用通路設備において、前記エスカレーターは、上階床の階段側端と前記中間踊り場の下階床側端を結ぶ直線が前記上下階床に対してなす角度と同じ角度で設置され、前記エスカレーターの踏段が、前記中間踊り場の下階床側端の幅方向外端を通過するとき、前記踏段が前記中間踊り場とほぼ同じ高さに位置することを特徴とする中間踊り場付き階段用通路設備。
【請求項２】
中間に踊り場を有し、その上下に上部階段部と下部階段部とを有する階段に、エスカレーターを並設した中間踊り場付き階段用通路設備において、前記エスカレーターは、前記階段と前記エスカレーターの踏段との高さ関係が、前記上部階段部と下部階段部とでほぼ同じようになるように設置され、前記エスカレーターの踏段が、前記中間踊り場の下階床側端の幅方向外端を通過するとき、前記踏段が前記中間踊り場とほぼ同じ高さに位置することを特徴とする中間踊り場付き階段用通路設備。
【請求項３】
前記エスカレーターは、その主枠を前記階段の幅方向外端に隣接して設置されていることを特徴とする請求項１または２記載の中間踊り場付き階段用通路設備。
【請求項４】
前記エスカレーターは、その主枠の傾斜部底部を前記階段の上側に位置するように設置されていることを特徴とする請求項１または２記載の中間踊り場付き階段用通路設備。
【発明の詳細な説明】
【０００１】
【発明の属する技術分野】
本発明は、エスカレーターを、中間に踊り場を備えた階段に並設した中間踊り場付き階段用通路設備に関する。
【０００２】
【従来の技術】
エスカレーターを中間に踊り場を備えた階段に並設した中間踊り場付き階段用通路設備は、例えば特開平７−１８９４４９  号公報の図１０に開示されているように、既に提案されている。
【０００３】
【発明が解決しようとする課題】
上記従来の技術は、中間踊り場より下方の下部階段部の傾斜に沿ってエスカレーターが設置されているので、中間踊り場より上方の上部階段部の階段歩行者とエスカレーター利用者との高低差が著しくなり、エスカレーター側からの落下物に対して階段歩行者を危険に晒したり、エスカレーター側からの悪戯に階段歩行者は無防備である等、中間踊り場付き階段にエスカレーターを並設した場合の階段歩行者に対する配慮に欠けていた。
【０００４】
本発明の目的は、設置したエスカレーターと階段との高低差が小さい中間踊り場付き階段用通路設備を提供することにある。
【０００５】
【課題を解決するための手段】
本発明は上記目的を達成するために、中間に踊り場を有する階段に並設するエスカレーターを、上階床の階段側端と前記中間踊り場の下階床側端を結ぶ直線がなす角度と同じ角度で設置し、前記エスカレーターの踏段が、前記中間踊り場の下階床側端の幅方向外端を通過するとき、前記踏段が前記中間踊り場とほぼ同じ高さに位置するようにしたのである。
【０００６】
上記構成により、エスカレーターが中間踊り場付き階段の上部階段部と下部階段部の両方に対応する傾斜で設置されることになるので、エスカレーターの乗客と階段歩行者の移動軌跡に大きな高低差がなくなり、その結果、階段歩行者に対するエスカレーター側からの落下物に対する危険やエスカレーター側からの悪戯は低減される。
【０００７】
【発明の実施の形態】
以下本発明の一実施の形態を図１〜図３に基づいて説明する。構造物の上階床１と下階床２間を連通する階段３は、ほぼ中間に中間踊り場４を備え、その上下に連続して上部階段部５と下部階段部６とを有する。そして、上部階段部５と下部階段部６とは、上階床１あるいは下階床２に対して角度θ０  （図３）で傾斜している。
【０００８】
このような階段３の幅方向一側の外端に、エスカレーター７が接近して並設される。このエスカレーター７は、周知のように、エスカレーター構成部材の全てを支持する主枠８を有し、この主枠８は上部水平部９と下部水平部１０とこれらを連結する傾斜部１１とから構成されている。上部水平部９と下部水平部１０の頂部は、夫々乗降床（図示せず）で覆われ、これら乗降床が上階床１及び下階床２と面一となるように、前記主枠８が上階床１及び下階床２に跨って設置される。
【０００９】
また、前記主枠８内には、無端状に連結され前記両乗降床間を循環移動する複数の踏段１２が案内され、また、これら踏段１２の両側に踏段移動方向に沿って配置される一対の欄干１３が支持されている。欄干１３は、主枠８の側部に支持された複数の支柱１４と、その周囲を覆う欄干パネルと、支柱１４の上端に支持された手摺フレーム等から構成され、前記手摺フレームに移動手摺１５が案内されている。
【００１０】
上記構成のエスカレーター７は、上階床１の階段側端１Ｅと中間踊り場４の下部階床側端４Ｅとを結ぶ直線１６が、上階床１あるいは下階床２に対してなす角度θ（図３）と同じ角度で設置され、この角度θは、前記角度θ０よりも小角度となっている。
【００１１】
このような設置角度とすることにより、上部階段部５と下部階段部６とのエスカレーター７の踏段１２との関係がほぼ同じ条件となる。即ち、下階床２からの下部階段部６への一段目と前記踏段１２との高さの差と、中間踊り場４から上部階段部５への一段目と前記踏段１２との高さの差とはほぼ同じであり、中間踊り場４へ至る直前の下部階段部６の最終段と前記踏段１２との高さの差と、上階床１へ至る直前の上部階段部５の最終段と前記踏段１２との高さの差とがほぼ同じになるのである。云い代えれば、階段３と踏段１２との傾斜関係が、階段３の上部階段部５と下部傾斜部６とでほぼ同じ傾斜関係になるようにしている。
【００１２】
本実施の形態では、上記設置角度θでエスカレーター７を設置する際に、さらに、踏段１２が階段３の中間踊り場４とほぼ同じ高さを通過するように位置させたのである。
【００１３】
上記エスカレーター７の欄干１３の階段３側には、上階床１−上部階段部５−中間踊り場４−下部階段部６−下階床２に対してほぼ一定の高さとなるように歩行者用手摺１７を設置している。この歩行者用手摺１７の欄干１３に沿う側は、ブラケット１８を介して前記支柱１４に支持し、欄干１３の終始端から外れた端部は、前記主枠８の上部水平部９及び下部水平部１０に支持している。
【００１４】
以上のように、中間踊り場付き階段３に設置角度θでエスカレーター７を並設したので、乗客と階段歩行者とは大きな高低差を生じることなく、夫々移動することができ、その結果、エスカレーター７から階段３側への落下物や悪戯に対して階段歩行者はすぐに気付くことができるので、回避することができる。また、エスカレーター７に乗客は、隣接する階段歩行者を目視できるので、階段歩行者に対する不要な悪戯を自粛することができる。
【００１５】
ところで、エスカレーター７の設置角を前記角度θよりも大きくすると、下部階段部６と踏段１２との高低差が上部階段部５の踏段１２との高低差よりも大きくなり、反対に、エスカレーター７の設置角を前記角度θよりも小さくすると、上部階段部５の踏段１２との高低差が下部階段部６と踏段１２との高低差よりも大きくなるので、階段歩行者の移動軌跡とエスカレーター７の乗客の移動軌跡間に大きな高低差ができる。そこで、階段３の製造誤差等を考慮して前記設置角度θに対し、±５度の範囲であれば、階段３とエスカレーター７との関係を上部階段部５と下部階段部６とでほぼ同じにすることができる。
【００１６】
上記実施の形態は、階段３の幅方向一側の外端に寄せてエスカレーター７を設置したものである。しかし、階段３の幅方向外端にエスカレーター７を設置する空間が存在せず、階段３の幅寸法内にエスカレーター７を設置しなければならない時は、エスカレーター７の設置に必要な空間を確保し、その分、階段３の幅寸法を狭くすればよい。この方法は、階段３を新設する場合においては、予めエスカレーター７の設置空間を確保できるので工事性はよいが、既設の階段３にエスカレーター７を設置する場合には、エスカレーター７の設置に必要な空間を確保するために、階段３を壊したり補強し直したりして階段３の幅寸法を詰める厄介な土木工事を行わなければならない。
【００１７】
そこで、既設の階段３の幅方向内に比較的簡単にエスカレーター７を設置できる構成について、図４に示す他の実施の形態に基づいて説明する。
【００１８】
図４に示す中間踊り場付き階段用通路設備は、階段３の幅方向内において、その幅方向の一側にエスカレーター７を寄せた状態で設置したものである。そして、エスカレーター７の主枠８の底部８Ｂを前記階段３の上に直接接しないように設置させることで、既設階段３の土木工事を少なくしようとするものである。
【００１９】
即ち、エスカレーター７を上記実施の形態と同じ設置角度θで、しかも中間踊り場４の下階床側端４Ｅに主枠８の底部８Ｂが接しないように設置するのである。このように設置することで、エスカレーター７の主枠８の上部水平部９が上部階段部５の上部と一部重なるが、この重なり部分のみを撤去するだけでエスカレーター７の設置が行えるので、土木工事量は少なくて済む。
【００２０】
本実施の形態による中間踊り場付き階段用通路設備によれば、主枠８の底部
８Ｂを階段３の上に設置したことにより、階段３より高位置にエスカレーター７の踏段１２が位置し、エスカレーター７の移動手摺１５の高さは階段３の全長に亘ってほぼ階段歩行者の頭部近傍となる。このために、歩行者と隣接するエスカレーター７の乗客の顔は、歩行者が見上げれば目視することができ、その結果、エスカレーター７側から階段歩行者への悪戯を減らすことができる。
【００２１】
【発明の効果】
以上説明したように本発明によれば、設置したエスカレーターと階段との高低差が小さい中間踊り場付き階段用通路設備を得ることができる。
【図面の簡単な説明】
【図１】本発明による中間踊り場付き階段用通路設備の一実施の形態を示す概略側面図。
【図２】図１のＩＩ−ＩＩ線に沿う片側の欄干を示す拡大縦断面図。
【図３】中間踊り場付き階段を示す断面図。
【図４】本発明による中間踊り場付き階段用通路設備の他の実施の形態を示す概略側面図。
【符号の説明】
１…上階床、２…下階床、３…階段、４…中間踊り場、４Ｅ…下階床側端、５…上部階段部、６…下部階段部、７…エスカレーター、８…主枠、９…上部水平部、１０…下部水平部、１１…傾斜部、１２…踏段、１３…欄干、１５…移動手摺、１７…歩行者用手摺。
【図１】
0003612468.tif 000002
【図２】
0003612468.tif 000003
【図３】
0003612468.tif 000004
【図４】
0003612468.tif 000005